(57)【特許請求の範囲】
【請求項１】
印刷方向に配置したパッチの測定から求められた印刷紙面内の印刷方向の色濃度分布に基づいて、印刷方向の色濃度変化の少ない印刷紙領域を選択し、その印刷紙領域に複数のパッチを有するプロファイリングターゲットを配置して印刷を行い、該プロファイリングターゲットの印刷物に基づいて印刷機のプロファイルを作成することを特徴とするプロファイル作成方法。
【請求項２】
複数の印刷機に適用するプロファイルを作成するプロファイル作成方法であって、印刷方向に配置したパッチの測定から求められた各印刷機の印刷紙面内の印刷方向の色濃度分布に基づいて、印刷方向の色濃度変化の少ない印刷紙領域、且つ複数の印刷機間で同様の色濃度となる印刷紙領域を選択し、その印刷紙領域に複数のパッチを有するプロファイリングターゲットを配置して印刷を行い、該プロファイリングターゲットの印刷物に基づいて印刷機のプロファイルを作成することを特徴とするプロファイル作成方法。
【請求項３】
請求項１記載のプロファイル作成方法において、印刷物のプロファイリングターゲットから作成されたプロファイルをカラーマッチングに使用して作成された出力物を見本として印刷を行う際の印刷管理方法であって、印刷方向に印刷紙面内の色濃度を測定するためのパッチを配置し、該パッチを測定することにより印刷紙面内の印刷方向の色濃度分布を求め、プロファイル作成時の印刷紙面内の印刷方向の色濃度分布と比較することにより、色濃度分布の差分を算出し、該差分を解消するように印刷機の制御を行うことを特徴とする印刷管理方法。
【請求項４】
請求項３記載の印刷管理方法において、色濃度分布状態が一致しない場合に、前記色濃度分布の差分を解消するような印刷機の制御として、印刷機の印刷幅（左右）方向に往復揺動運動しながら回転する揺動回転ローラーの揺動幅（振幅）の調整を行うことを特徴とする印刷管理方法。
【発明の詳細な説明】
【技術分野】
【０００１】
本発明は、オフセット印刷機やグラビア印刷機などの本機印刷機間、又は本機印刷機のモニタ、デジタルプルーフ、デジタルカメラといった、その他のカラー画像表示デバイスとのカラーマッチングを計るためにカラーマネージメントシステムを応用した印刷工程における本機印刷機のプロファイル作成方法及び印刷管理方法に関する。
【背景技術】
【０００２】
従来、製版印刷工程で使われるスキャナ、モニタ、校正機、印刷機などの各機器間のスキャン画像色、モニタ上の表示色、印刷物の再現色におけるカラーマッチングは、熟練した技能を持ったオペレータの経験とノウハウにより行われていた。しかし、このような方法ではカラーマッチングの精度はオペレータにより左右される状況であった。
【０００３】
そこで、これらの問題点を改善するためにＩＣＣ（International Color Consortium）プロファイルを用いたカラーマネージメントシステムが提案され、注目を浴びている。
【０００４】
ＩＣＣプロファイルを使用するカラーマネージメントシステムでは、スキャナ、モニタ、校正機、印刷機などといった入出力機器の色特性を記述したデバイスプロファイルを作成し、このデバイスプフロファイルに基づきコンピュータの演算によって機器間のカラーマッチングを実現する。
【０００５】
このデバイスプロファイルは、プロファイリングターゲットと呼ばれるターゲットをその機器ごとに出力した後、色彩計などで測定をし、所定のアルゴリズムによってコンピュータで演算を行い作成される。プロファイリングターゲットとプロファイルを作成するアルゴリズムを内蔵したソフトウェアは各社より様々な製品が発売されている。
【０００６】
しかし、正確なカラーマッチングを行うには各機器の色再現を正確に再現したデバイスプロファイルが必要となるが、例えば、一般にデジタルプルーフと呼ばれる出力機では、印刷紙面内で安定した出力物が得られるため、正確なデバイスプロファイルの作成が行い易く、カラーマネージメントシステムの使用の際に大きな問題を指摘されていない。しかしオフセット印刷機やグラビア印刷機などの本機印刷機へのカラーマネージメントシステムの適用の際には、印刷機から出力される印刷物の安定性などにより、プロファイリングターゲット内の均一性が問題となり、色再現を正確に再現したデバイスプロファイル作成の障害になっている。
【０００７】
従来の本機印刷機プロファイルの作成方法としては、プロファイルを作成する本機印刷機で印刷される面内にプロファイリングターゲット、たとえばＩＴ８．７／３などの汎用カラーチャートを配置し、このプロファイリングターゲットを大量に印刷した印刷物の中の１枚を選び、この印刷物から本機印刷機プロファイルを作成している場合が多い。
【０００８】
通常、本機印刷機の印刷面内には、用紙の流れ方向、幅方向ともに濃度の差が生じており、特にオフセット印刷では印刷紙（用紙）の幅方向（印刷方向に対して直交する方向）に一定間隔に配置されたインキキーの開度により、幅方向の濃度差が生じ易くなる。インキキー各々の開度を調整することにより濃度差を低減することは可能であるが、完全に排除することは難しい。
【０００９】
この問題を解決するため、プロファイリングターゲットをオフセット本機印刷機の１つのインキキー幅内に納めるように設計し、濃度ムラの影響を抑える方法も考案されている
が、この方法では１つのインキキー幅は一般に２５〜４０ｍｍ程度であることから、プロファイルターゲットは印刷紙の印刷方向（用紙の流れ方向）に長くなり、印刷紙の印刷方向の濃度ムラの影響を受け易くなる。（例えば、特許文献１を参照。）
近年、印刷紙の幅方向にカラーバーを配置し、印刷中にオンラインもしくはオフラインで紙幅方向の濃度の測定、制御を行う機器が印刷機メーカーなどから上市されており、インキキー開度による紙幅方向の濃度ムラを少なくすることが可能となってきている。
【００１０】
しかし印刷紙の印刷方向の濃度ムラは、本機印刷機の回転するローラや、軸方向に左右に往復運動をしながら回転するローラ、例えば揺動ローラなどの組み合わせにより発生する機構的な要素が大きく、印刷紙の幅方向の濃度ムラの調整のように発生状態を良好に調整することは難しい。
【００１１】
以下に、本発明に関連する公知の特許文献を記載する。
【特許文献１】特開２００２−３２６３４３号公報
【特許文献２】特開２００２−３３３８７４号公報
【特許文献２】特開２００３−６６２９号公報
【特許文献３】特開２００３−４６７９６号公報
【発明の開示】
【発明が解決しようとする課題】
【００１２】
本発明が解決しようとしている課題は、本機印刷機間、又は異なる印刷方法を用いた印刷機間、又は本機印刷機とモニタ、デジタルプルーフ、デジタルカメラといった、他のデバイスとのカラーマッチングを計るためにカラーマネージメントシステムを応用した印刷工程において、印刷紙面内の印刷方向の濃度ムラの影響を抑えることで、機器の色再現特性を精度よく反映させたプロファイルを作成する方法を提供することにある。
【課題を解決するための手段】
【００１３】
本発明の請求項１に係る発明は、印刷方向に配置したパッチの測定から求められた印刷紙面内の印刷方向の色濃度分布に基づいて、印刷方向の色濃度変化の少ない印刷紙領域を選択し、その印刷紙領域に複数のパッチを有するプロファイリングターゲットを配置して印刷を行い、該プロファイリングターゲットの印刷物に基づいて印刷機のプロファイルを作成することを特徴とするプロファイル作成方法である。
【００１４】
本発明の請求項２に係る発明は、複数の印刷機に適用するプロファイルを作成するプロファイル作成方法であって、印刷方向に配置したパッチの測定から求められた各印刷機の印刷紙面内の印刷方向の色濃度分布に基づいて、印刷方向の色濃度変化の少ない印刷紙領域、且つ複数の印刷機間で同様の色濃度となる印刷紙領域を選択し、その印刷紙領域に複数のパッチを有するプロファイリングターゲットを配置して印刷を行い、該プロファイリングターゲットの印刷物に基づいて印刷機のプロファイルを作成することを特徴とするプロファイル作成方法である。
【００１５】
本発明の請求項３に係る発明は、上記請求項１に係るプロファイル作成方法において、印刷物のプロファイリングターゲットから作成されたプロファイルをカラーマッチングに使用して作成された出力物を見本として印刷を行う際の印刷管理方法であって、印刷方向に印刷紙面内の色濃度を測定するためのパッチを配置し、該パッチを測定することにより印刷紙面内の印刷方向の色濃度分布を求め、プロファイル作成時の印刷紙面内の印刷方向の色濃度分布と比較することにより、色濃度分布の差分を算出し、該差分を解消するように印刷機の制御を行うことを特徴とする印刷管理方法である。
【００１７】
本発明の請求項４に係る発明は、上記請求項３に係る印刷管理方法において、色濃度分布状態が一致しない場合に、前記色濃度分布の差分を解消するような印刷機の制御として、印刷機の印刷幅（左右）方向に往復揺動運動しながら回転する揺動回転ローラーの揺動幅（振幅）の調整を行うことを特徴とする印刷管理方法である。
【発明の効果】
【００１８】
本発明によれば、本機印刷機で印刷される印刷紙面内で、濃度ムラを最小限に抑えたプロファイリングターゲットの印刷が可能となり、本機印刷機間、又は異なる印刷方法を用いた印刷機間、又は本機印刷機のモニタ、デジタルプルーフ、デジタルカメラといった、他のデバイスとのカラーマッチングを計るためにカラーマネージメントシステムを応用した印刷工程において、本機印刷機の色再現特性を精度よく反映させたプロファイルを提供することが可能となり、併せて、実際の印刷時に本機印刷機によるプロファイリングターゲット印刷時の印刷条件が再現可能となり、本機印刷機から作成された前記プロファイルを使用した他の本機印刷機、及び他の印刷機、及び本機印刷機のモニタ、デジタルプルーフ、デジタルカメラといった、他のデバイスからの出力物に対して、精度の高いカラーマッチングを付与することが可能となる。
【００１９】
このように本発明は、本機印刷機にて印刷される紙面内に印刷方向に沿って色濃度を測定するためのパッチ配列を配置し、パッチ配列を測定することにより印刷紙面内の印刷方向の色濃度分布状態を把握し、色濃度変化の少ない領域をプロファイリングターゲットの寸法を加味して選択し、その領域にプロファイリングターゲットを配置して印刷を行うことにより、プロファイリングターゲットへの印刷方向の色濃度ムラの影響を最小限に抑え、本機印刷機の色再現特性を精度よく反映させたプロファイルを作成することができるものであり、本機印刷機間又は異なる印刷方法の印刷機間又は本機印刷機とモニタ、デジタルプルーフなどその他のデバイスとのカラーマッチングを計るためにカラーマネージメントシステムを応用した印刷工程にて、印刷紙面内の印刷方向の色濃度ムラの影響を抑えることにより、本機印刷機の色再現特性を精度よく反映させたプロファイルを作成する方法を提供することが可能になるものである。
【発明を実施するための最良の形態】
【００２０】
本発明の実施の形態について以下に図面を使用して説明する。但し、以下の内容はひとつの実施の形態及び実施例であり、本発明の請求の範囲を限定するものではない。
【００２１】
本発明は、プロファイルを作成したい本機印刷機にて印刷される印刷紙面内に、その印刷紙の印刷方向に沿って印刷紙面内の色濃度を測定するための複数の異なる色調パッチを一列に配列して構成される細長いパッチ配列を配置する。
【００２２】
そして、このパッチ配列の各色調パッチの色濃度を測定することにより印刷紙面内の印刷方向の色濃度分布状態を把握し、該色濃度分布状態から色濃度変化の少ない領域を選択して、その領域内に多数の異なる色調パッチを印刷方向に複数列及び印刷幅方向に複数桁に配列して構成されるプロファイリングターゲットを配置して印刷を行う。
【００２３】
これにより、該プロファイリングターゲットに対する印刷方向の濃度ムラの影響を最小限に抑えて、色再現特性を精度よく反映させた、印刷機のプロファイルを作成するものである。
【００２４】
また、本発明は、プロファイルを作成したい複数の本機印刷機にて印刷されるそれぞれの印刷紙面内に、その印刷紙の印刷方向に沿って印刷紙面内の色濃度を測定するための複数の異なる色調パッチを一列に配列して構成される細長いパッチ配列を配置する。
【００２５】
そして、このパッチ配列の各色調パッチの色濃度を測定することにより印刷紙面内の印刷方向の色濃度分布状態を把握し、該色濃度分布状態から色濃度変化の少ない領域、且つ複数印刷機間で同様の色濃度となる領域を選択し、その領域内に多数の異なる色調パッチを印刷方向に複数列及び印刷幅方向に複数桁に配列して構成されるプロファイリングターゲットを配置して印刷を行う。
【００２６】
これにより、該プロファイリングターゲットに対する印刷方向の濃度ムラの影響を最小限に抑え、且つ複数印刷機間でのプロファイリングターゲット作成条件を均一化して、色再現特性を精度よく反映させた、印刷機のプロファイルを作成するものである。
【００２７】
また、本発明は、同一の印刷方法を用いた本機印刷機間又は異なる印刷方法を用いた他の印刷機間のカラーマッチング、又は前記本機印刷機とモニタ、デジタルプルーフ、デジタルカメラ等の他のデバイスとの間のカラーマッチングを計るためのカラーマネージメントシステムを応用した印刷工程における印刷管理方法である。
【００２８】
本発明の上記の印刷管理方法は、本機印刷機による印刷物と、該本機印刷機による印刷物の多数の異なる色調パッチを印刷方向に複数列及び印刷幅方向に複数桁に配列して構成されるプロファイリングターゲットから作成されたプロファイルをデジタルプルーフなど他のデバイスのカラーマッチングに使用して作成された出力印刷物とを比較する際に、該出力印刷物の印刷紙面内に、その印刷紙の印刷方向に沿って印刷紙面内の色濃度を測定するための複数の異なる色調パッチを一列に配列して構成される細長いパッチ配列を配置して、該パッチ配列の各色調パッチの色濃度を測定することにより印刷紙面内の印刷方向の色濃度分布状態を把握するものである。
【００２９】
そして、把握した前記色濃度分布状態を、前記本機印刷機によるプロファイリングターゲット印刷時の印刷紙面内の印刷方向の色濃度分布状態と比較することにより色濃度分布の差分を算出する。
【００３０】
そして、該差分を解消するように、本機印刷機に対して印刷制御を行うことにより、同じ印刷条件を再現できるように印刷管理するものである。
【００３１】
図１は、本機印刷機の色再現特性を精度よく反映させたプロファイルを作成するプロセスを説明するフローチャートであり、図２は、本機印刷機にてプロファイリングターゲット（例えば、複数の各色の四角形状のカラーパッチを縦横に配列した矩形状カラーチャート）を印刷紙１１面上に配置する位置を決定する際に使用する印刷物１０を示し、印刷紙１１面上に印刷されたパッチ配列１２、１３の配列状態を示す。なお、配列の形態としては、これに限定されず、本発明の要旨を逸脱しない範囲で実施が可能である。
【００３２】
まず、ステップＳ１にて、本機印刷機でプロファイリングターゲットを印刷紙面上に配置する位置を決定する際に使用するプロファイリングターゲット配置位置決定用の複数の異なる色調の色調パッチを１列に配列した各々パッチ配列１２、１３を印刷方向に沿ってその印刷幅方向の両端部に配置して印刷するための印刷版（刷版）を製版する。
【００３３】
次にステップＳ２にて、プロファイリングターゲットを印刷紙面上に配置する位置を決定するために、前記印刷版を本機印刷機に取り付け、該本機印刷機を用いて印刷紙面１１に印刷を行って、図２に示すように、印刷紙１１面の印刷方向に沿って、その印刷幅方向の両端部に、複数の異なる色調の色調パッチを１列に配列した各々パッチ配列１２、１３の印刷された印刷物１０を得る。
【００３４】
次にステップＳ３にて、前記ステップＳ２にて得られた印刷物１０を用いてプロファイリングターゲットを印刷紙１１面上に配置する位置を決定する。
【００３５】
次にステップＳ４にて、前記ステップＳ３にて決定された印刷紙１１面の位置に、プロファイリングターゲットを配置して印刷するための印刷版（刷版）を製版する。
【００３６】
次にステップＳ５にて、プロファイリングターゲットを印刷紙１１面上に配置した印刷物を得るために、前記ステップＳ４にて製版された前記印刷版を本機印刷機に取り付け、該本機印刷機を用いて印刷紙１１面に印刷を行って、図５に示すように、印刷紙１１面に、多数の異なる色調パッチを印刷方向に複数列及び印刷幅方向に複数桁に配列して構成されるプロファイリングターゲット３１の印刷されたプロファイリングターゲット印刷物１４を得る。なお、その際に、図示するように該印刷紙１１面の印刷方向に沿ってその印刷幅方向の両端部に各々パッチ配列１２、１３が印刷されていてもよい。
【００３７】
次にステップＳ６にて、前記ステップＳ５にて印刷されたプロファイリングターゲット３１からプロファイルの作成を行う。
【００３８】
印刷紙１１の紙面内には、その印刷紙１１の印刷方向（用紙の流れ方向）の濃度を測定するために、印刷紙１１の印刷方向に沿って色濃度測定用のパッチ配列として、例えば、２本のパッチ配列１２、１３をその印刷幅方向の両端部に配置する。なお、配置するパッチ配列の本数は、これに限らず、配置位置もこれに限らない。
【００３９】
前記パッチ配列に一列に配列する各々色調パッチの数、即ち色数は、本機印刷機で使用するインキの色数に対応させて構成されており、一般的なプロセス４色と呼ばれるブラック、シアン、マゼンタ、イエローを使用した本機印刷機では、この４色の色調パッチを必ず含む形で構成され、印刷紙１１の印刷方向（用紙の流れ方向）全体にわたって繰り返し配置されているが、４色以外に各インキの掛け合わせで構成された色調パッチを含んでいても良い。
【００４０】
図３は、前記ステップＳ３にて本機印刷機にて印刷物１０を用いてプロファイリングターゲット３１を印刷紙１１面上に配置する位置を決定するためのプロファイリングターゲット配置位置設定装置である。
【００４１】
色濃度測定手段２１にて、本機印刷機にて印刷された印刷紙１１面上のパッチ配列（例えば、各々パッチ配列１２、１３）を走査して測定する。なお、パッチ配列の測定には、色濃度測定手段２１を使用するが、色濃度値を計測、算出できる装置であれば濃度の測定方式は問わない。
【００４２】
色濃度測定手段２１で測定された色濃度値は、プロファイリングターゲット配置解析手段２２に渡し、印刷紙１１面内にプロファイリングターゲット３１を配置する配置位置を決定する。
【００４３】
なお、本機印刷機による印刷時における印刷紙の紙幅方向（印刷方向に対して直交する
方向）の濃度は、インキキーなどにより濃度が一定となるように調整を行うが、この調整は、印刷中にオンライン（本機印刷機上）もしくはオフライン（本機印刷機外）にて印刷紙の紙幅方向の濃度を色濃度測定手段（色濃度計）にて測定し、その測定値に基づいてインキキー制御を行う機器を用いても良く、また手動によりインキキーの調整を行っても良いが、この印刷紙の紙幅方向の濃度調整制御方法はこれに限らない。
【００４４】
図４は、前記ステップＳ３において、プロファイリングターゲット３１を印刷紙１１面上に配置するための配置位置を決定する際に行う前記プロファイリングターゲット配置解析装置２２によるプロファイリングターゲット配置位置の解析方法の一例であり、その解析方法のプロセスを説明するフローチャートである。
【００４５】
まず、ステップＳ３−１にて、前記印刷紙１１面に印刷物１０として印刷方向に一列に配列して印刷されたパッチ配列の各色調パッチの印刷方向の色濃度状態を把握するために、前記色濃度測定手段２１で測定された印刷物１０のパッチ配列（例えば、各々パッチ１２、１３）の各色調パッチの印刷方向の色濃度色が、プロファイリングターゲット配置解析装置２２にデータ信号として入力される。
【００４６】
次にステップＳ３−２にて、印刷紙１１面内のパッチ配列（例えば、各々パッチ配列１２、１３）の色濃度値の代表値となる基準値を設定する。
【００４７】
この基準値の設定方法は、前記ステップＳ３−１で把握された印刷紙１１の印刷方向（用紙流れ方向）の同一色における色濃度分布の中央値（基準値）を算出して設定されるものである。あるいは、印刷方向の色濃度分布の平均値を用いても良く、また任意の色濃度値を入力して使用しても良い。
【００４８】
次にステップＳ３−３にて、前記本機印刷機にて後に印刷紙１１面に印刷物１４として印刷するためのプロファイリングターゲット３１の寸法値（印刷方向の長さと、その印刷方向と直交する印刷幅方向の長さ）を入力する。
【００４９】
ステップＳ３−４にて、色濃度値の基準値、及び印刷方向の濃度ムラ変動状態、及びプロファイリングターゲットの寸法値を考慮したプロファイリングターゲット３１の印刷紙１１面内の配置位置を決定する。
【００５０】
次にステップＳ３−５にて、プロファイル作成プログラムソフト（プロファイリングターゲット画像出力シミュレーションプログラムソフト）を用いて、上記印刷物１０（又は印刷物１１）のパッチ配列１２、１３から得られた印刷方向の各色調の色濃度に基づいて、プロファイリングターゲット予想画像と、そのプロファイリングターゲット内の印刷方向の濃度ムラの予想発生状態とをディスプレイ画面（液晶表示画面、ＣＲＴ画面）上にシミュレーション画像として表示する。
【００５１】
その後に、図１に示すステップＳ４、Ｓ５を経て、印刷紙１１面内の決定された配置位置に、上記の本機印刷機と同一の印刷方法を用いた本機印刷機、又は異なる印刷方法を用いた他の印刷機、又は前記本機印刷機と関連するモニタ、デジタルプルーフ、デジタルカメラ等の他のデバイスを用いて、プロファイリングターゲット３１の印刷された印刷物１４、又は出力物１４を作成する。
【００５２】
続いて、図１に示すステップＳ６にて、前記ステップＳ５にて作成して得られた印刷物１４又は出力物１４のプロファイリングターゲット３１からプロファイルを作成する。
【００５３】
そして、このようにして作成されたプロファイルに基づいて、上記本機印刷機と同一の
印刷方法を用いた本機印刷機との間、又は異なる印刷方法を用いた他の印刷機との間のカラーマッチング、又は前記本機印刷機と、モニタ、デジタルプルーフ、デジタルカメラ等の他のデバイスとの間のカラーマッチングを計るためのカラーマネージメントを行うものである。
【００５４】
図５に、以上のステップを経て決定された印刷紙１１面内の配置位置に、プロファイリングターゲット３１を配置して印刷された印刷物１４を示す。
【００５５】
図６は、本発明におけるプロファイリングターゲット３１の印刷時状態確認法であり、本機印刷機にて上記ステップＳ１、Ｓ２、Ｓ３（Ｓ３−１、Ｓ３−２、Ｓ３−３、Ｓ３−４、Ｓ３−５）の各ステップを経て決定された紙面内配置位置に、上記ステップＳ４、Ｓ５の各ステップを経て印刷紙１１にプロファイリングターゲット３１を配置して印刷された図５に示した印刷物１４の紙面上のパッチ配列１２、１３を、色濃度測定手段２１にて測定する。なお、パッチ配列１２、１３の測定は色濃度測定手段２１を使用するが、濃度値を算出できる装置であれば濃度の測定法は問わない。
【００５６】
図６に示すように、色濃度測定手段２１で測定された印刷物１４（図５参照）の各パッチ配列１２、１３の各色調パッチの色濃度値は、色濃度データとして印刷方向濃度解析手段４２に渡すとともに、該印刷物１４の印刷紙１１の紙面内の印刷方向（用紙流れ方向）の色濃度と、プロファイリングターゲット３１を印刷紙１１の紙面上に配置する位置を決定する段階で印刷された印刷物１０（図２参照）の印刷紙１１の紙面内の印刷方向（用紙流れ方向）の色濃度とについて比較を行う。
【００５７】
これにより、印刷紙１１の紙面内の印刷方向（用紙流れ方向）の色濃度ムラの差分の把握が可能となり、印刷紙１１の紙面上にプロファイリングターゲット３１の印刷を行って印刷物１４を得る際に、この差分を解消するような制御（印刷制御）を行うことにより、プロファイリングターゲット３１を印刷紙１１の紙面上に配置する位置を決定する際の本機印刷機による印刷物１０と同じ本機印刷機状態をプロファイリングターゲット３１の印刷において再現することができる。
【００５８】
印刷紙１１の紙面上にプロファイリングターゲット３１の印刷を行って印刷物１４を得る際の上記制御は、印刷における印刷幅方向の色濃度の制御であり、例えば、色濃度分布状態は一致するが、色濃度差が異なる場合には、印刷紙１１の印刷幅方向全体のインキキー開度の調整により行うことができる。
【００５９】
また、前記制御は、その他に、本機印刷機へインキを供給するローラのインキ供給量を調整しても良い。
【００６０】
また、色濃度分布状態が一致しない場合には、本機印刷機の軸方向に左右に往復運動をしながら回転するローラ、例えば揺動ローラーの揺動位相（揺動周期、揺動振幅）を変えることで調整することができる。
【００６１】
なお、本機印刷機による印刷時における印刷幅方向の濃度は、プロファイリングターゲットの印刷幅方向の色濃度が一定となるようにインキキーなどにより調整を行うが、この調整は印刷中にオンラインもしくはオフラインで印刷幅方向の色濃度を測定し、その測定値に基づいてインキキー制御を行う濃度制御機器を用いても良く、また、手動によりインキキーの調整を行っても良いが、方法はこれに限らない。
【００６２】
図１に示すステップＳ１、Ｓ２、Ｓ３、及び図４に示すステップＳ３−１、Ｓ３−２、Ｓ３−３、Ｓ３−４、Ｓ３−５の各ステップを経て決定された印刷紙１１の紙面内配置位
置にプロファイリングターゲット３１を配置印刷することにより、本機印刷機にて印刷を行い、プロファイル作成のためのプロファイリングターゲット３１が印刷された印刷物１４を得ることができる。
【００６３】
複数の本機印刷機でプロファイルを作成する際には、図４のステップＳ３−２にて複数の本機印刷機により共通の印刷方向の濃度基準値を入力して、印刷紙１１の紙面内のプロファイリングターゲット配置位置を決定するものである。
【００６４】
以上のステップにて作成されたプロファイルを、本機印刷機間、又は異なる印刷方法を用いた印刷機間、又は本機印刷機とモニタ、デジタルプルーフ、デジタルカメラ等、その他のデバイスとの間のカラーマッチングを計るためにカラーマネージメントシステムを応用した印刷工程において使用する際には、印刷方向（用紙の流れ方向）に沿って配置されたパッチ配列１２、１３を、カラーマネージメントシステムを適用する印刷物や出力物に配置して、図６にて説明した印刷方向濃度解析手段４２により、その印刷物の印刷方向の濃度状態を確認することにより、本機印刷機による印刷物（印刷物１０）と、その本機印刷機によるプロファイルの元となるプロファイリングターゲット印刷時の印刷物（印刷物１４）との間の本機印刷機のカラー再現の安定性の確認が行えるとともに、プロファイリングターケット印刷時と同じ印刷条件を再現するための印刷管理を行うことができるものである。
【００６５】
また、以上のステップにて作成されたプロファイルを、本機印刷機間又は異なる印刷方法を用いた印刷機間、又は本機印刷機とモニタ、デジタルプルーフ、デジタルカメラ等、その他のデバイスとの間のカラーマッチングを計るためにカラーマネージメントシステムを応用した印刷工程において使用する際には、印刷方向（用紙の流れ方向）に沿って配置されたパッチ配列１２、１３を、カラーマネージメントシステムを適用する出力物に配置し、図６にて説明した印刷方向濃度解析手段４２により、その出力物の出力方向の濃度状態を確認することにより、本機印刷機による印刷物（印刷物１０）と、異なる印刷方法を用いた印刷機、又は前記本機印刷機若しくは異なる印刷方法を用いた印刷機と関連するモニタ、デジタルプルーフ、デジタルカメラ等、その他のデバイスによるプロファイルの元となるプロファイリングターゲット出力時の出力物（印刷物１４と同様のプロファイリングターゲット３１の出力された出力物））との間のカラー再現の安定性の確認が行えるとともに、プロファイリングターケット印刷時と同じ印刷条件を再現するための印刷管理を行うことができる。
【実施例】
【００６６】
以下に、本発明の具体的実施例について説明する。
【００６７】
＜実施例１＞
実施手順として、まずテスト印刷機（本機印刷機としても使用する印刷機）として、印刷幅方向にカラーバーを印刷し、印刷幅方向のカラーバーの濃度を読み取ることによりインキキー開度制御を行う装置を搭載したオフセット枚葉印刷機（（株）小森コーポレーション製、菊半裁版オフセット枚葉機）を選定した。
【００６８】
印刷に使用するインキの色調、及び濃度は、ブラック（ＢＫ）１．７５、シアン（Ｃ）１．６０、マゼンタ（Ｍ）１．５０、イエロー（Ｙ）１．４０とし、許容幅は各色とも±０．０５として、インキキー開度制御装置の制御値を設定した。
【００６９】
本実施例では図１に示すプロセスのステップＳ1 、Ｓ2 、Ｓ3 に従い、図２に示す印刷方向長さｙ、印刷幅方向長さｘの印刷紙１１の印刷方向に沿う両端部にパッチ配列１２、１３を配置して印刷して印刷物１０を作成した。
【００７０】
次に、図４に示すプロセスのステップＳ３−１により、上記テスト印刷機により印刷した印刷物１０におけるパッチ配列１２、１３の色濃度ムラとして、図３に示す印刷方向色濃度測定手段２１及びプロファイリングターゲット配置位置解析手段２２により印刷方向色濃度状態を測定した。
【００７１】
その結果、印刷方向の長さｙが５００ｍｍの上記印刷紙１１の印刷開始側（咥側）の端部（図２に示す印刷紙１１の上端部）からパッチ配列１２、１３の色調パッチまでの印刷方向（用紙流れ方向）の距離と、その色調パッチの色濃度（反射濃度）との関係が、図７に示すグラフのようになり、ブラック（ＢＫ）、シアン（Ｃ）、マゼンタ（Ｍ）、イエロー（Ｙ）の各色の色濃度中央値は、ブラック（ＢＫ）１．８１、シアン（Ｃ）１．６８、マゼンタ（Ｍ）１．５９、イエロー（Ｙ）１．５１となった。
【００７２】
次に、ステップＳ３−２にて、パッチ配列１２、１３の上記色濃度中央値を印刷方向の色濃度基準値として設定した。そして図７に示すグラフから、パッチ配列１２、１３の前記印刷方向の色濃度基準値は、前記印刷紙１１の印刷開始側（咥側）の端部から距離ｍ＝２６０ｍｍ近辺に存在することが判明した。
【００７３】
次に、ステップＳ３−３にて、図２に示すように、上記印刷紙１０に印刷物１４として印刷するプロファイリングターゲット３１の寸法として、ａ（縦）＝１８０ｍｍ、ｂ（幅）＝４５０ｍｍを設定した。
【００７４】
次に、ステップＳ３−４にて、図２に示すように、上記印刷紙１０に印刷するプロファイリングターゲット３１の印刷方向の中央部が、印刷紙１１の印刷開始側（咥側）の端部から距離ｍ＝２６０ｍｍ近辺に存在するように、該印刷紙１１の印刷開始側（咥側）の端部からプロファイリングターゲット３１の上端までの距離ｔ＝１７０ｍｍの位置にプロファイリングターゲットの配置位置を決定した。
【００７５】
次にステップＳ３−５にて、必要に応じて、プロファイル作成プログラムソフト（プロファイリングターゲット画像出力シミュレーションプログラムソフト）を用いて、上記印刷物１０（又は印刷物１１）のパッチ配列１２、１３から得られた印刷方向の各色調の色濃度に基づいて、プロファイリングターゲット予想画像と、そのプロファイリングターゲット内の印刷方向の濃度ムラの予想発生状態とをディスプレイ画面（液晶表示画面、ＣＲＴ画面）上にシミュレーション画像として表示した。
【００７６】
上記のようにプロファイリングターゲットの配置位置を決定した後、図１に示すプロセスのステップＳ４にて、プロファイリングターゲット３１をその決定された位置に配置したオフセット印刷版（刷版）を製版した後、上記テスト印刷機により、前記印刷物１０の印刷紙１１面の配置位置にプロファイリングターゲット３１の印刷を行って、図５に示すように印刷物１４を作成した。
【００７７】
次に、前記印刷物１４に印刷されたプロファイリングターゲット３１から、本機印刷機のプロファイルを作成した。
【００７８】
図２、図５に示すように、印刷に使用するプロファイリングターゲット３１としては、ターゲット全体の寸法値（サイズ）が、ａ（縦）＝１８０ｍｍ、ｂ（幅）４５０ｍｍのチャートを使用し、プロファイリングターゲット３１の測定には、色濃度測定手段２１（色濃度測定器）として、Ｇｒｅｔａｇ  Ｍａｃｂｅｔｈ社製のＳｐｅｃｔｒｏＬｉｎｏ／ＳｐｅｃｔｒｏＳｃａｎを使用し、市販のプロファイル作成ソフト（例えば、Ｇｒｅｔａｇ
Ｍａｃｂｅｔｈ社製）を使用して、カラー再現のためのプロファイル（カラーリプロダ
クションプロファイル）を作成した。
【００７９】
＜実施例２＞
次に、プロファイルを作成した上記テスト印刷機と、該テスト印刷機により作成した上記プロファイルを適用したデジタルプルーフ（カラープルーフ）とのカラーマッチングの精度を見るために、下記のようにして、カラーマネージメントとシステムを応用したカラーマッチングテストを実施した。なお、デジタルプルーフとして、ＣｏｌｏｒＤｅｃｉｓｉｏｎ、コニカ株製を使用した。
【００８０】
上記デジタルプルーフ（カラープルーフ）に使用するプロファイルは、上記テスト印刷機のプロファイル作成と同様のソフトウェア、色濃度測定手段２１を用いて作成したものを使用し、そのプロファイルを適用した状態で、プロファイリングターゲット３１（印刷物１４のプロファイリングターゲット３１と同一サイズの縦１８０ｍｍ幅４５０ｍｍのＩＴ８．７／３チャート、）を、上記印刷紙１４と同様のサイズのデジタルプルーフ出力用紙上の前記印刷紙１４のプロファイリングターゲット３１と同様の配置位置に配置して、写真絵柄と同時に出力して出力物を得た。
【００８１】
＜比較例１＞
比較対象として、従来のプロファイル作成手法により印刷面内に任意にプロファイリングターゲットを配置してプロファイルを作成した場合を想定して、上記実施例２において上記デジタルプルーフ（カラープルーフ）により、プロファイリングターゲット３１（印刷物１４のプロファイリングターゲット３１と同一サイズの縦１８０ｍｍ幅４５０ｍｍのＩＴ８．７／３チャート、）を、上記印刷紙１４と同様のサイズのデジタルプルーフ出力用紙上の上記印刷紙１４のプロファイリングターゲット３１の配置位置とは異なる位置（プロファイリングターゲット３１の出力方向の中央部が、出力用紙の出力開始側の端部から距離ｍ＝２７０ｍｍ近辺に存在するように、該出力用紙の出力開始側の端部からプロファイリングターゲット３１の上端までの距離ｔ＝１８０ｍｍの位置）に配置して、写真絵柄と同時に出力して、比較例１としての出力物を得た。
【００８２】
＜比較結果＞
上記実施例１として、プロファイルを作成した上記テスト印刷機によりプロファイリングターゲット３１が印刷された前記印刷物１４と、上記実施例２として、前記デジタルプルーフによりプロファイリングターゲット３１を前記印刷物１４と同一の配置位置に出力した出力物と、上記比較例１として、前記デジタルプルーフによりプロファイリングターゲット３１を前記印刷物１４と異なる配置位置に出力した出力物の各々色濃度を、測定手段２１（ＳｐｅｃｔｒｏＬｉｎｏ／ＳｐｅｃｔｒｏＳｃａｎ、Ｇｒｅｔａｇ  Ｍａｃｂｅｔｈ社）を使用して測定して色濃度測定を行い、カラー再現性の比較を行った。
【００８３】
次に、上記実施例１によるテスト印刷機で印刷したプロファイリングターゲット３１の色濃度測色値を基準にして、それぞれ実施例２、比較例３との色差を比較した。
【００８４】
その結果、本発明を適用して作成したプロファイルによる実施例１の印刷物１４、及び実施例２の出力物は、プロファイリングターゲット３１のチャート内の全パッチの平均色差ΔＥ￣（平均値）について、ΔＥ￣＝１．５０となり、全パッチにおける色差ΔＥが３以下（ΔＥ≦３）として発生する割合は９６％となり安定したカラー再現が得られた。
【００８５】
これに対して、従来の方法である比較例１の出力物は、同様の比較を行った結果、プロファイリングターゲット３１のチャート内の全パッチの平均色差ΔＥ￣（平均値）は、ΔＥ￣＝３．００となり、これは上記実施例１、２と比較して平均色差が高く、また全パッチにおける色差ΔＥが３以下（ΔＥ≦３）として発生する割合は６６％となり、これは上
記実施例１、２と比較して低く、したがって、本発明を適用して作成したプロファイルを使用し、本発明を適用して決定したプロファイリングターゲットの配置位置（印刷配置位置、又は出力配置位置）にプロファイリングターゲット（カラーチャート）を印刷又は出力することによって、精度の高いカラーマッチング精度を確実に得ることが可能となった。
【００８６】
併せて、上記実施例２と比較例１によるそれぞれ出力物の写真絵柄の目視評価を行ったが、本発明を適用して作成したプロファイルを使用し、本発明を適用して決定したプロファイリングターゲットの配置位置（印刷配置位置、又は出力配置位置）に出力した実施例２の方が、比較例１により出力した出力物よりも、カラーマッチング精度は良好と判断された。
【図面の簡単な説明】
【００８７】
【図１】本発明におけるプロファイル作成プロセスの一例を説明するフローチャート。
【図２】本発明における紙面上のパッチ配列のレイアウト及びプロファイリングターゲットの配置位置の決定の一例を説明する平面図。
【図３】本発明におけるプロファイリングターゲットを紙面上に印刷、出力配置する位置を決定するためにパッチ配列の印刷方向色濃度を測定する印刷方向色濃度測定手段及びその色濃度分布状態を把握するためのプロファイリングターゲット装置解析手段の一例を説明する概要側面図。
【図４】本発明におけるプロファイリングターゲットの配置位置の解析決定法の一例を示すフローチャート。
【図５】本発明における紙面内にプロファイリングターゲットが印刷、出力配置された紙面の一例を説明する平面図。
【図６】本発明におけるプロファイリングターゲット印刷時状態確認法の一例であり、プロファイリングターゲットが印刷、出力された後の紙面のパッチ配列の印刷方向色濃度を測定するためにパッチ配列の印刷方向色濃度を測定する印刷方向色濃度測定手段及びその色濃度分布を解析するための印刷方向濃度解析手段の一例を説明する概要側面図。
【図７】本発明におけるプロファイリングターゲットを紙面上に印刷、出力配置する位置を決定するために印刷方向色濃度測定手段及びプロファイリングターゲット装置解析手段により得られたパッチ配列の印刷方向色濃度分布を示すグラフ。
【符号の説明】
【００８８】
１１…紙面
１２…印刷方向の色濃度を測定するためのパッチ配列
１３…印刷方向の色濃度を測定するためのパッチ配列
２１…パッチ色濃度測定手段
２２…プロファイリングターゲット配置解析手段
３１…プロファイリングターゲット
３２…プロファイリングターゲット３１を配置して印刷、出力された印刷物又は出力物
４１…印刷方向色濃度解析手段
【図１】
0004826153.tif 000002
【図２】
0004826153.tif 000003
【図３】
0004826153.tif 000004
【図４】
0004826153.tif 000005
【図５】
0004826153.tif 000006
【図６】
0004826153.tif 000007
【図７】
0004826153.tif 000008